(57)【要約】【課題】疎水性化合物を粉末化してなる粒状組成物、その粒状組成物を含む洗浄剤及び化粧料を提供する。【解決手段】疎水性化合物（ａ）と、少なくとも側鎖に下記式（１）で表される基を有する高分子化合物（ｂ）、及び賦形剤（ｃ）を含む組成物を乾燥して得られる粒状組成物、及び該粒状組成物を含有する洗浄剤組成物と化粧料組成物である。    −（ＯＸ）n−Ｅ2−Ｒ      （１）（式中、ｎ個のＸは炭素数１〜６の２価の飽和炭化水素基、ｎは５〜３００の数、Ｅ2はエーテル結合又はオキシカルボニル基、Ｒはヒドロキシル基で置換されていてもよい炭素数４〜３０のアルキル基を示す。）【選択図】なし【特許請求の範囲】
【請求項１】
疎水性化合物（ａ）と、少なくとも側鎖に下記式（１）で表される基を有する高分子化合物（ｂ）、及び賦形剤（ｃ）を含む組成物を乾燥して得られる粒状組成物。
−（ＯＸ）n−Ｅ2−Ｒ      （１）
（式中、ｎ個のＸは同一又は異なる炭素数１〜６の２価の飽和炭化水素基、ｎは５〜３００の数、Ｅ2はエーテル結合又はオキシカルボニル基、Ｒはヒドロキシル基で置換されていてもよい炭素数４〜３０のアルキル基を示す。）
【請求項２】
高分子化合物（ｂ）で乳化した疎水性化合物（ａ）、及び賦形剤（ｃ）を含む組成物を乾燥して得られる、請求項１に記載の粒状組成物。
【請求項３】
賦形剤（ｃ）が水溶性糖類である、請求項１又は２に記載の粒状組成物。
【請求項４】
賦形剤（ｃ）が澱粉分解物である、請求項３に記載の粒状組成物。
【請求項５】
疎水性化合物（ａ）を１〜６０質量％含有し、疎水性化合物（ａ）と高分子化合物（ｂ）との質量比〔（ａ）／（ｂ）〕が０．００１〜１５である、請求項１〜４のいずれかに記載の粒状組成物。
【請求項６】
請求項１〜５のいずれかに記載の粒状組成物を含有する、洗浄剤。
【請求項７】
請求項１〜５のいずれかに記載の粒状組成物を含有する、化粧料。
【発明の詳細な説明】
【技術分野】
【０００１】
本発明は、疎水性化合物を含む組成物を粉末化してなる粒状組成物、その粒状組成物を含む洗浄剤及び化粧料に関する。
【背景技術】
【０００２】
油剤等の疎水性化合物を乳化物として安定に配合することは、化粧品や香料品分野、及び衣料用柔軟剤等の分野においては重要な技術である。
特に、洗浄料のような大量の界面活性剤が存在する場合には疎水性化合物の安定性が失われ、乳化破壊が生じることが知られている。そのため、側鎖の一部に特定の基を有する高分子化合物を利用し、これと疎水性化合物を含む特定の組成物を調製し水で希釈することで安定性の良好な疎水性化合物の乳化物が得られることが開示されている（例えば、特許文献１参照）。
しかし、この技術は、水を多量に含む水中油型乳化物であるため、ハンドリング上大きな制約があり、また製品形態も液体のものに限定されていた。
これまで、界面活性剤耐性の高い水中油型乳化物は得られていたが、これを粉末化する手段は検討されていなかった。このため、製品形態も液体に限定され、粉末洗剤等への配合はできないという問題があった。
【０００３】
【特許文献１】特開２００５−３１４２４４号公報
【発明の開示】
【発明が解決しようとする課題】
【０００４】
本発明は、疎水性化合物を粉末化してなる粒状組成物、その粒状組成物を含む洗浄剤及び化粧料を提供することを課題とする。
【課題を解決するための手段】
【０００５】
本発明者らは、疎水性化合物と、特定の高分子化合物と、賦形剤を含む組成物を乾燥することより、所望の粒状組成物が得られ、前記課題を解決し得ることを見出した。
すなわち、本発明は、以下の［１］、［２］及び［３］を提供する。
［１］疎水性化合物（ａ）と、少なくとも側鎖に下記式（１）で表される基を有する高分子化合物（ｂ）、及び賦形剤（ｃ）を含む組成物を乾燥して得られる粒状組成物。
−（ＯＸ）n−Ｅ2−Ｒ      （１）
（式中、ｎ個のＸは同一又は異なる炭素数１〜６の２価の飽和炭化水素基、ｎは５〜３００の数、Ｅ2はエーテル結合又はオキシカルボニル基、Ｒはヒドロキシル基で置換されていてもよい炭素数４〜３０のアルキル基を示す。）
［２］上記［１］の粒状組成物を含有する、洗浄剤。
［３］上記［１］の粒状組成物を含有する、化粧料。
【発明の効果】
【０００６】
本発明によれば、洗浄剤や化粧料等に好適に用いられる疎水性化合物を粉末化してなる粒状組成物、その粒状組成物を含む洗浄剤及び化粧料を提供することができる。
【発明を実施するための最良の形態】
【０００７】
本発明の粒状組成物は、疎水性化合物（ａ）と、少なくとも側鎖に前記式（１）で表される基を有する高分子化合物（ｂ）、及び賦形剤（ｃ）を含む組成物を乾燥して得られるものであることを特徴とする。
次に、本発明の粒状組成物に用いられる各成分について説明する。
【０００８】
［疎水性化合物（ａ）］
本発明に用いる疎水性化合物（ａ）に特に制限はなく、例えば高級アルコール類、ステロール類、シリコーン類、フッ素系油剤、香料及びその他油性成分を好ましく挙げることができる。
高級アルコール類としては、炭素数が６〜２５程度の直鎖状若しくは分岐鎖状の飽和又は不飽和の脂肪族アルコールや、芳香脂肪族アルコール等が用いられ、このようなものとしては、ラウリルアルコール、ミリスチルアルコール、セチルアルコール、イソセチルアルコール、ステアリルアルコール、イソステアリルアルコール、オレイルアルコール、２−オクチルドデカノール、ベンジルアルコール、フェネチルアルコール、シンナミルアルコール等を例示することができる。これらの高級アルコール類の中では、セチルアルコール、ステアリルアルコールが好ましい。
また、ステロール類としては、例えばコレステロール、イソステアリン酸コレステリル、プロビタミンＤ3、カンベステロール、ステグマスタノール、アルケニルコハク酸コレステリル（特開平５−２９４９８９号公報）等が挙げられる。これらの中では、特にコレステロール、イソステアリン酸コレステリル、アルケニルコハク酸コレステリルが好ましい。
【０００９】
シリコーン類としては、通常トイレタリー製品に配合されるもの、例えばオクタメチルポリシロキサン、メチルポリシロキサン（ジメチコン）、ジメチルポリシロキサン、高重合メチルポリシロキサン、メチルフェニルポリシロキサンのほか、オクタメチルシクロテトラシロキサン等のメチルポリシクロシロキサン、トリメチルシロキシケイ酸、更には、アルキル変性シリコーン、アラルキル変性シリコーン、ポリエーテル変性シリコーン、ポリエーテル・アルキル変性シリコーン、アミノ変性シリコーン、フッ素変性シリコーン、アルキルグリセリルエーテル変性シリコーン、脂肪酸エステル変性シリコーン、フルオロアルキル変性シリコーン、エポキシ変性シリコーン、カルボキシル変性シリコーン、メタクリル変性シリコーン、アルコール変性シリコーン、メルカプト変性シリコーン、ビニル変性シリコーン、特開平６−７２８５１号公報記載の変性オルガノポリシロキサン等の変性シリコーン等が挙げられる。
また、フッ素系油剤としては、常温で液体のパーフルオロ有機化合物であるパーフルオロポリエーテル、フッ素変性シリコーンが好ましく、例えばパーフルオロデカリン、パーフルオロオクタン、パーフルオロノナン、パーフルオロペンタン、パーフルオロポリエーテル等が挙げられる。
【００１０】
香料としては、天然香料、合成香料及び調合香料のいずれも用いることができる。天然香料及び合成香料としては、例えばシネオール、カンファー、ピネン、リモネン、ターピネオール、リナロール、酢酸リナロール、ネロール、酢酸ネリル、カルバクロール、チモール、シトロネロール、シトラール、ゲラニオール、サンタロール、ボルネオール、カルボン、メチルイオノン、サリチル酸ヘキシル、イオノン、ヘディオン、フェノキシエタノール、アンバーコア、セドリルメチルエーテル、シンナミックアルデヒド、酢酸ベンジル、オイゲノール、セドレン、酢酸ボルニル、メントール、メントン、メチルチャビコール、サイメン、プレゴール、アネトール、シヨン、ラバンジュロール、セージオイル、タイムオイル、バジルオイル、ペパーミントオイル、ハッカオイル、ローズマリーオイル、ユーカリプタスオイル、マジョラムオイルセージ、シトロネラオイル、シダーウッドオイル、スイートオレンジオイル、ベルガモットオイル、ラベンダーオイル、シンナモンオイル、レモンオイル、ライムオイル、ひのきオイル等が挙げられる。
【００１１】
調合香料としては、レモン調、ライム調、オレンジ調、スイートオレンジ調、マンダリン調、ベルガモット調等のシトラスタイプベース、プチグレン調、ネロリ調、レモングラス調、アグルメン調等のフレッシュタイプベース、アップル調、ピーチ調、ストロベリー調、ココナッツ調、パイナップル調、ラズベリー調、ウォーターメロン調等のフルーティタイプベース、ローズ調、ジャスミン調、ムゲ調、ライラック調、カーネーション調、ヒアシンス調、チュベローズ調、ガーデニア調、ミモザ調、ナルシス調、バイオレット調、イラン調、フローラルブーケ調等のフローラルタイプベース、シナモンバーク調、シナモンリーフ調、クローブ調、ピメントベリー調、ナツメグ調、ペッパー調、カルダモン調、コリアンダー調、クミン調等のスパイシータイプベース、シダーウッド調、ベチバー調、サンダルウッド調、グアイアックウッド調、ウディアンバー調、ウディイリス調等のウッディタイプベース、スモーキー調、キノリン調等のレザータイプ、バニラ調、トンカ調、ハネー調、ピュアーバルサム調等のスィートタイプベース、その他アルデハイディックタイプベース、アンバータイプベース、アニマルタイプベース、アニスタイプベース、アロマティックハーバルタイプベース、アガータイプベース、アクアタイプベース、カンファーシネオールタイプベース、グリーンタイプベース、シードタイプベース、ハーブタイプベース、パインタイプベース、パチュリタイプベース、バルサミックタイプベース、ミントタイプベース、ムスクタイプベース、モスタイプベース、ラベンダータイプベース、リナロールタイプベース、レジンタイプベース等が挙げられる。
【００１２】
その他油性成分としては、揮発性又は不揮発性のいずれも用いることができる。例えば、固体状又は液体状パラフィン、ワセリン、クリスタルオイル、スクワラン等の炭化水素類；ユーカリ油、ハッカ油、ヒマワリ油、牛脂、オリーブ油、カルナウバロウ、グリセリンモノステアリン酸エステル、グリセリンジステアリン酸エステル、パルミチン酸イソプロピル、ステアリン酸ブチル、ジカプリン酸ネオペンチルグリコール、フタル酸ジエチル、乳酸ミリスチル、アジピン酸ジイソプロピル、ミリスチン酸セチル、１−イソステアロイル−３−ミリストイルグリセロール、ミリスチン酸−２−オクチルドデシル、ジ−２−エチルヘキサン酸ネオペンチルグリコール、トリイソステアリン酸グリセロール、ジ−パラメトキシケイヒ酸−モノ−２−エチルヘキサン酸グリセリル等のエステル油；ステアリン酸、パルミチン酸、オレイン酸等の高級脂肪酸；リグナン、ビタミンＥ、油溶性ビタミンＣ、ビタミンＡ誘導体、セラミド類、セラミド類似構造物質、油溶性紫外線吸収剤等の機能性油性物質等が挙げられる。
上記疎水性化合物（ａ）は、単独で又は２種以上を組み合わせて用いることができる。
【００１３】
［高分子化合物（ｂ）］
本発明においては、疎水性化合物（ａ）を粉末化するに際し、該疎水性化合物（ａ）を乳化処理したものを用いることが好ましく、この疎水性化合物（ａ）の乳化処理に、高分子化合物（ｂ）が用いられる。
高分子化合物（ｂ）は、少なくとも側鎖に、下記式（１）で表される基を有する。
−（ＯＸ）n−Ｅ2−Ｒ    （１）
式（１）において、ｎ個のＸは同一又は異なる炭素数１〜６の２価の飽和炭化水素基を示す。Ｘは、直鎖状、分岐鎖状、環状のいずれであってもよい。Ｘの具体例としては、メチレン基、エチレン基、プロピレン基、トリメチレン基、各種ブチレン基、各種ペンチレン基、各種ヘキシレン基、各種シクロペンチレン基、各種シクロヘキシレン基等が挙げられるが、これらの中で、炭素数２〜４のアルキレン基が好ましく、エチレン基がより好ましい。
ｎは５〜３００の数を示し、５〜２００が好ましく、８〜１２０がより好ましい。
Ｅ2はエーテル結合又はオキシカルボニル基（−ＯＣＯ−又は−ＣＯＯ−）を示す。オキシカルボニル基は、Ｒに結合する原子が炭素原子であってもよく、酸素原子であってもよい。
Ｒは、ヒドロキシル基で置換されていてもよい炭素数４〜３０のアルキル基を示す。Ｒは、直鎖状、分岐鎖状、環状のいずれであってもよいが、炭素数６〜２５のアルキル基が好ましい。Ｒの具体例としては、各種のヘキシル基、オクチル基、デシル基、ドデシル基、テトラデシル基、ヘキサデシル基、オクタデシル基、イコシル基、さらには環上にアルキル基が導入されていてもよいシクロヘキシル基やシクロオクチル基等、及びこれらの基の水素原子の少なくとも１つがヒドロキシル基で置換された基が挙げられる。
【００１４】
高分子化合物（ｂ）の好適例としては、前記式（１）で表される基を有する多糖誘導体（ｂ−１）及び／又は前記式（１）で表される基を、主鎖構成モノマー単位当たり、平均で０．０００１〜０．１個有する重量平均分子量１万〜２００万の水溶性合成高分子化合物（ｂ−２）を挙げることができる。
【００１５】
＜多糖誘導体（ｂ−１）＞
多糖誘導体としては、多糖類又はその誘導体のヒドロキシ基の水素原子の一部又は全てが、下記基（Ａ）で置換された多糖誘導体（以下多糖誘導体（ｂ−１−ａ）という）が好ましい。
（Ａ）一般式（２）で表される基
−Ｅ1−(ＯＸ)n1−Ｅ2−Ｒ     （２）
（式中、Ｅ1はヒドロキシ基又はオキソ基で置換されていてもよい炭素数１〜６の直鎖状、分岐鎖状又は環状の２価の飽和炭化水素基を示し、ｎ１は８〜３００の数を示し、Ｘ、Ｅ2及びＲは前記と同じ意味を示し、ｎ１個のＸは同一でも異なっていてもよい。）
前記の多糖類又はその誘導体としては、セルロース、グアーガム、スターチ、プルラン、デキストラン、フルクタン、マンナン、寒天、カラギーナン、キチン、キトサン、ペクチン、アルギン酸、ヒアルロン酸等の多糖類；これらにメチル基、エチル基、ヒドロキシエチル基、ヒドロキシプロピル基等が置換した誘導体が挙げられる。これらの置換基は、構成単糖残基中に単独で又は複数の組合せで置換することができる。
【００１６】
多糖類の誘導体の具体例としては、ヒドロキシエチルセルロース、ヒドロキシエチルエチルセルロース、ヒドロキシエチルグアーガム、ヒドロキシエチルスターチ、メチルセルロース、メチルグアーガム、メチルスターチ、エチルセルロース、エチルグアーガム、エチルスターチ、ヒドロキシプロピルセルロース、ヒドロキシプロピルグアーガム、ヒドロキシプロピルスターチ、ヒドロキシエチルメチルセルロース、ヒドロキシエチルメチルグアーガム、ヒドロキシエチルメチルスターチ、ヒドロキシプロピルメチルセルロース、ヒドロキシプロピルメチルグアーガム、ヒドロキシプロピルメチルスターチ等が挙げられる。
これら多糖類又はその誘導体の中では、セルロース、スターチ、ヒドロキシエチルセルロース、メチルセルロース、エチルセルロース、ヒドロキシプロピルセルロースが好ましく、特にヒドロキシエチルセルロースが好ましい。
これら多糖類又はその誘導体の重量平均分子量は、１万〜１０００万が好ましく、より好ましくは１０万〜５００万、さらに好ましくは２０万〜２００万である。
【００１７】
前記の基（Ａ）において、Ｅ1としては、ヒドロキシ基又はオキソ基で置換されていてもよい炭素数２又は３の直鎖状又は分岐鎖状の２価の飽和炭化水素基が好ましい。その好適的としては、エチレン、プロピレン、トリメチレン、２−ヒドロキシトリメチレン、１−ヒドロキシメチルエチレン、１−オキソエチレン、１−オキソトリメチレン、１−メチル−２−オキソエチレン等が挙げられる。
Ｘとしては、炭素数２又は３の直鎖状若しくは分岐鎖状の２価の飽和炭化水素基が好ましく、具体的にはエチレン、プロピレン及びトリメチレンが好ましい。
ｎ１で表される（−ＯＸ−）の平均付加モル数としては、増粘効果及び乳化安定性の点から、８〜１２０が好ましく、１０〜６０がより好ましい。ｎ１個のＸは同一でも異なってもよい。Ｅ2はエーテル結合又はオキシカルボニル基であるが、エーテル結合が好ましい。Ｒとしては、好ましくは炭素数５〜２５、より好ましくは６〜２０の、ヒドロキシ基で置換されていてもよい直鎖状若しくは分岐鎖状のアルキル基が好ましく、また、安定性の観点から、非置換のアルキル基、特に非置換の直鎖状アルキル基が好ましい。具体的にはオクチル基、デシル基、ドデシル基、テトラデシル基、ヘキサデシル基、オクタデシル基、イソステアリル基等が好ましい。
【００１８】
多糖誘導体（ｂ−１−ａ）における前記の基（Ａ）による置換度は、構成単糖残基当たり０．０００１〜１．０が好ましく、より好ましくは０．０００５〜０．５、さらに好ましくは０．００１〜０．１である。
本発明における多糖誘導体（ｂ−1）は、基（Ａ）に加え、更に下記の基（Ｂ）、（Ｃ）及び（Ｄ）から選ばれる１以上の基で置換されていてもよい。また、基（Ａ）〜（Ｄ）のヒドロキシ基の水素原子は、更に基（Ａ）〜（Ｄ）で置換されていてもよい。
（Ｂ）ヒドロキシ基で置換されていてもよい炭素数１〜５のスルホアルキル基又はその塩
（Ｃ）ヒドロキシ基で置換されていてもよい炭素数２〜６のカルボキシアルキル基又はその塩
（Ｄ）一般式（３）で表される基
【００１９】
【化１】
2008163133.tif 000002
【００２０】
（式中、Ｄ1はヒドロキシ基で置換されていてもよい炭素数１〜６の直鎖状若しくは分岐鎖状の２価の飽和炭化水素基を示し、Ｒ1、Ｒ2及びＲ3は同一又は異なる、ヒドロキシ基で置換されていてもよい炭素数１〜３の直鎖状又は分岐鎖状のアルキル基を示し、Ｙ-はヒドロキシイオン、ハロゲンイオン又は有機酸イオンを示す。）
基（Ｂ）としては、２−スルホエチル基、３−スルホプロピル基、３−スルホ−２−ヒドロキシプロピル基、２−スルホ−１−（ヒドロキシメチル）エチル基等が挙げられ、なかでも安定面や製造面の観点から、３−スルホ−２−ヒドロキシプロピル基が好ましい。これら基（Ｂ）は、その全てあるいは一部がＮａ、Ｋ、Ｃａ、Ｍｇ等のアルカリ金属又はアルカリ土類金属、アミン類、アンモニウム等の有機カチオン等との塩となっていてもよい。
基（Ｂ）による置換度は、構成単糖残基当たり０〜１．０が好ましく、より好ましくは０〜０．８、さらに好ましくは０〜０．５である。
【００２１】
基（Ｃ）としては、カルボキシメチル基、カルボキシエチル基、カルボキシプロピル基、カルボキシブチル基、カルボキシペンチル基等が挙げられる。これらの中でも、安定面や製造面の観点から、カルボキシメチル基が好ましい。基（Ｃ）は、その全てあるいは一部がＮａ、Ｋ、Ｃａ、Ｍｇ等のアルカリ金属又はアルカリ土類金属、アミン類、アンモニウム等の有機カチオン等との塩となっていてもよい。
基（Ｃ）による置換度は、構成単糖残基当たり０〜１．０、更に０〜０．８、特に０〜０．５が好ましい。
【００２２】
基（Ｄ）におけるＤ1としては、炭素数２又は３のヒドロキシ基で置換されていてもよい直鎖状又は分岐鎖状の２価の飽和炭化水素基が好ましい。具体的には、エチレン、プロピレン、トリメチレン、２−ヒドロキシトリメチレン、１−ヒドロキシメチルエチレン等が好ましい。
Ｒ1、Ｒ2及びＲ3としては、メチル基、エチル基、プロピル基、２−ヒドロキシエチル基等が挙げられ、中でもメチル基及びエチル基が好ましい。
Ｙ-のうち、ハロゲンイオンとしては、塩素イオン、臭素イオン、ヨウ素イオン等が、有機酸イオンとしては、ＣＨ3ＣＯＯ-、ＣＨ3ＣＨ2ＣＯＯ-、ＣＨ3(ＣＨ2)2ＣＯＯ-等が挙げられる。Ｙ-としては、ヒドロキシイオン、塩素イオン及び臭素イオンが好ましい。
基（Ｄ）による置換度は、構成単糖残基当たり０〜０．５、特に０〜０．３が好ましい。
【００２３】
多糖類又はその誘導体の基（Ａ）〜（Ｄ）による置換、即ちポリオキシアルキレン化、スルホアルキル化、カルボキシアルキル化又はカチオン化は、ＷＯ００／７３３５１に記載の方法により行うことができる。
本発明で用いられる多糖誘導体（ｂ−1）は、多糖類又はその誘導体としてセルロース類を用いた場合を例に挙げれば、その繰り返し単位は次の一般式（４）で例示される。
【００２４】
【化２】
2008163133.tif 000003
【００２５】
（式中、Ｒ4は水素原子、メチル基、エチル基、ヒドロキシエチル基、ヒドロキシプロピル基、上記基（Ａ）、基（Ｂ）、基（Ｃ）及び基（Ｄ）から選ばれる基を示し、Ｑは炭素数２〜４のアルキレン基を示し、ａ、ｂ及びｃは、同一又は異なって、それぞれ０〜１０の数を示し、ＱＯ基、Ｒ4基、ａ、ｂ及びｃは、繰り返し単位内で又は繰り返し単位間で同一でも異なってもよく、また基（Ａ）〜（Ｄ）のヒドロキシ基は更に他の基（Ａ）〜（Ｄ）で置換されていてもよい。ただし、分子中のＲ4のうち少なくとも１つは基（Ａ）である。）
【００２６】
＜水溶性合成高分子化合物（ｂ−２）＞
水溶性合成高分子化合物は、式（１）の基を主鎖構成モノマー単位当たり、平均で０．０００１〜０．１個有する分子量１万〜２００万の化合物である。
式（１）の基としては、Ｘがエチレン基、ｎが５〜２００の数、Ｒが炭素数４〜３０の直鎖状、分岐鎖状又は環状のアルキル基が好ましい。また、式（１）の基の平均数は、主鎖構成モノマー単位当たり、平均で０．００１〜０．０５が更に好ましく、重量平均分子量は３万〜１５０万が更に好ましい。
【００２７】
当該水溶性合成高分子化合物としては、ポリビニルアルコール及びポリグリシドール等の水酸基を有する水溶性合成高分子化合物に、一般式（５）で表される化合物を反応させることによって得ることができる。
Ｅ3−（ＯＸ）n−Ｅ2−Ｒ     （５）
（式中、Ｅ3は炭素数３〜６のエポキシ化アルキル基、ヒドロキシ基が置換していてもよい炭素数１〜６の直鎖状若しくは分岐鎖状のハロゲン化アルキル基、又はカルボキシ基若しくは炭素数２〜６のカルボキシアルキル基若しくはそれらの誘導体を示し、Ｘ、ｎ、Ｒ及びＥ2は前記と同様の意味を示す。）
また、水溶性モノマーと５〜２００個のオキシエチレン（ＥＯ）連結鎖を介し炭素数４〜３０の疎水基を有するモノマーを共重合させることによっても得ることができる。
上記水溶性モノマーとしては、一般式（６）で表される化合物、又は一般式（７）で表される化合物が挙げられる。
【００２８】
【化３】
2008163133.tif 000004
【００２９】
（式中、Ｒ5、Ｒ6及びＲ7は同一又は異なって水素原子又はメチル基を示し、ｘは平均で２〜１００の数を示す。）
【００３０】
【化４】
2008163133.tif 000005
【００３１】
（式中、Ｒ8及びＲ9は同一又は異なって水素原子又はメチル基を示し、Ｒ10及びＲ11はメチル基又はエチル基を示し、ｙは０又は２〜５の整数を示し、Ｚは−Ｎ（Ｒ12）−基（Ｒ12は水素原子又はメチル基）、酸素原子又は直接結合手を示す。）
これらの具体例としては、メトキシポリエチレングリコールモノメタクリレート、メトキシポリエチレングリコールモノアクリレート、ポリエチレングリコールモノメタクリレート、ポリエチレングリコールモノアクリレート、Ｎ，Ｎ−ジメチルアミノエチルアクリレート、Ｎ，Ｎ−ジメチルアミノプロピルアクリルアミド、Ｎ，Ｎ−ジメチルアクリルアミド等があり、これらの化合物は公知の方法で合成できる。
【００３２】
５〜２００個のＥＯ連結鎖を介し炭素数４〜３０の疎水基を有するモノマーとしては、一般式（８）で表される化合物が挙げられる。
【００３３】
【化５】
2008163133.tif 000006
【００３４】
（式中、Ｒ13及びＲ14は同一又は異なって水素原子又はメチル基を示し、ｚは５〜２００の数を示し、Ｒ15はヒドロキシ基で置換されていても良い炭素数４〜３０、好ましくは８〜３０の直鎖状、分岐状又は環状のアルキル基を示す。）
具体例としては、ラウロキシポリエチレングリコールモノアクリレート、ステアロキシポリエチレングリコールモノメタクリレート等があり、これらの化合物は公知の方法で合成できる。
【００３５】
本発明の粒状組成物においては、疎水性化合物（ａ）の含有量は、粉末形成性の観点から、好ましくは１〜６０質量％、より好ましくは４〜５０質量％、更に好ましくは８〜４０質量％である。また、疎水性化合物（ａ）と前記高分子化合物（ｂ）との質量比〔（ａ）／（ｂ）〕は、粉末形成性の観点から、好ましくは０．００１〜１５、より好ましくは０．０１〜１２、更に好ましくは０．５〜１０、更に好ましくは１〜１０、特に好ましくは４〜８である。
【００３６】
［賦形剤（ｃ）］
賦形剤（ｃ）は、疎水性化合物（ａ）及び前記高分子化合物（ｂ）を固定化し、粒子（粉末）を形成させるために用いられる。賦形剤（ｃ）としては、水溶性糖類等を用いることができる。水溶性糖類の具体例としては、グルコース、果糖、乳糖、麦芽糖、蔗糖、デキストリン、シクロデキストリン、マルトース、フルクトース、プルラン、あるいはソルビトールやマンニトール等の糖アルコール等を挙げることができる。この中でも、溶解性、吸湿性、粒子形成性の観点から、澱粉分解物であるデキストリン等の使用が特に好ましい。
賦形剤（ｃ）は、必要に応じ２種以上を組み合わせて使用してもよい。
粒状組成物中の賦形剤（ｃ）の含有量は、疎水性化合物（ａ）及び高分子化合物（ｂ）の配合量により変動するので特に限定されないが、粉末形成性の観点から、２０〜９５質量％が好ましく、３０〜９０質量％がより好ましく、６０〜９０質量％が特に好ましい。
【００３７】
本発明の粒状組成物を製造する好ましい態様としては、まず疎水性化合物（ａ）と高分子化合物（ｂ）とを混合し、さらに水を加え混合して、水中油型乳化物を調製したのち、これに賦形剤（ｃ）を添加し、攪拌混合後、乾燥処理し、粉末化する方法を挙げることができる。
水中油型乳化物中の水分量は１０〜９５質量％が好ましく、２０〜８５質量％がより好ましく、特に４０〜８０質量％が特に好ましい。また、必要に応じて水溶性溶剤を添加しても良い。
次に、各工程について説明する。
【００３８】
［水中油型乳化物の調製］
水中油型乳化物の調製方法としては、ホモゲナイザーを用い、（i）疎水性化合物（ａ）と高分子化合物（ｂ）とを攪拌混合し、次いで水を加えて攪拌する方法、（ii）疎水性化合物（ａ）と高分子化合物（ｂ）と水の一部とを攪拌混合し、次いで残りの水を加えて攪拌する方法、（iii）疎水性化合物（ａ）と高分子化合物（ｂ）と水の全量を加えて攪拌する方法等を採用することができる。
これらの方法の中で、乳化安定性の良好な水中油型乳化物が得られる観点から、前記（ｉ）の方法が好ましい。
このようにして得られた水中油型乳化物においては、乳化粒子の平均粒子径は、０．１〜１０μｍであることが好ましく、０．５〜８μｍであることがより好ましく、２〜７μｍが好ましく、３〜５．５μｍであることがさらに好ましい。なお、乳化粒子の平均粒子径は、レーザー散乱による粒度分布測定により求められる値であり、具体的には実施例に記載の方法により測定する。
【００３９】
［粉末化］
当該水中油型乳化物に、賦形剤（ｃ）を添加し、攪拌混合した後に乾燥処理して、粉末化する。賦形剤（ｃ）は、使用する水の一部に溶解して水溶液の形態で添加してもよく、水を加えずに添加してもよい。乾燥法は、一般的な方法を用いることができ、特に限定されないが、例えば噴霧乾燥、凍結乾燥、真空乾燥、ベルト乾燥、棚乾燥、ドラム乾燥等が挙げられる。また、乾燥した後に、所望の粒径の粉末を得るために粉砕を行ってもよい。これらの乾燥法のなかでは、生産性、熱履歴、粉末形状等の観点から、噴霧乾燥法を用いるのが好ましい。なお、噴霧乾燥法により乾燥粉末を得る場合、その粒径は使用する噴霧ノズルにより任意に調整できるが、必要に応じ、更に得られた粉末を凝集させ凝集粉末とすることもできる。
【００４０】
本発明の粒状組成物の平均粒径は、流動性及び溶解性の観点から、好ましくは１０〜１０００μｍ、より好ましくは２０〜５００μｍ、更に好ましくは４０〜２００μｍ、特に５０〜１００μｍである。なお、本発明の粒状組成物における粒子は単一粒子であっても凝集粒子であってもよい。
また、本発明の粒状組成物中の水分含有量は、菌増殖に関わる水分活性の観点から、１０質量％以下が好ましく、７質量％以下がより好ましい。
本発明の粒状組成物は、疎水性化合物（ａ）を含み、例えば洗浄剤分野、化粧料分野、スキンケア剤分野、衣料処理剤分野、香料分野等に好適に用いられる。
【００４１】
本発明はまた、本発明の粒状組成物を含有する洗浄剤及び化粧料をも提供する。
本発明の粒状組成物は、洗浄剤、好ましくは粉末洗浄剤に好適に配合することができ、本発明の粒状組成物を０．１〜５０質量％、より好ましくは０．２〜２０質量％、より好ましくは０．５〜１０質量％、更に好ましくは１〜５質量％配合することが好ましい。本発明の粒状組成物以外の成分は、公知のものを使用することができる。
本発明の粒状組成物を配合できる化粧料は特に制限はなく、各種ファンデーション、アイシャドウ、アイライナー、アイブロウ、マスカラ、ネイルエナメル等のメイクアップ化粧料類、パック、口紅、ほほ紅、サンスクリーン等の皮膚化粧料類、毛髪化粧料、薬用化粧料等に広く応用することができる。なお、配合量に関しては、洗浄剤の場合と同様である。
【実施例】
【００４２】
各例における水中油型乳化物及び粒状組成物の諸特性は、以下の方法により求めた。
＜水中油型乳化物＞
（１）乳化状態
得られた直後の乳化物１ｇをイオン交換水９ｇに希釈し、プレパラート上に適量のせ、デジタルマイクロスコープ［株式会社キーエンス製、「ＫＥＹＥＮＣＥ  ＶＨ−８５００」］で乳化液の乳化状態を観察した。
（２）平均乳化粒子径
乳化物中の乳化粒子の平均粒径は、株式会社堀場製作所製のレーザー回折／散乱式粒度分布測定装置「ＬＡ−９１０」を用いて，乳化物０．５ｇを生理食塩水９９．５ｇで希釈し、室温にて測定した。
＜粉末（粒状組成物）＞
（１）平均粒径
粉末の平均粒径は、株式会社堀場製作所製のレーザー回折／散乱式粒度分布測定装置「ＬＡ−９１０」を用い、分散媒にはエタノールを使用した。測定においては、攪拌を中位（具体的には、測定装置「ＬＡ−９２０」の７段階の４）とし、サンプルを添加して装置が指示する所定濃度に調整後、中位レベル（具体的には、測定装置「ＬＡ−９２０」の７段階の４）の超音波を１分間照射し粉末粒径を測定した。
（２）安定性
粉末を室温及び４０℃で１ヶ月間保存し、液体成分の染み出しやケーキングの有無を目視により観察し、下記基準で評価した。
〇：染み出し、ケーキングなし
×：染み出し、ケーキングあり
【００４３】
製造例１〔高分子化合物（ｂ）の製造〕
重量平均分子量約８０万、ヒドロキシエチル基の置換度１．８のヒドロキシエチルセルロース（ＨＥＣ−ＱＰ１５０００Ｈ，ユニオンカーバイド社製）８０ｇ、イソプロピルアルコール６４０ｇ及びｐ−トルエンスルホン酸２．０ｇを混合してスラリー液を調製し、窒素雰囲気下、室温で３０分間攪拌した。この溶液に式（９）で表される化合物１５ｇを加え、８０℃で８時間反応させてポリオキシアルキレン化を行った。
【００４４】
【化６】
2008163133.tif 000007
【００４５】
反応終了後、反応液を４８質量％水酸化ナトリウム水溶液で中和し、反応生成物をろ別した。反応生成物を８０質量％イソプロピルアルコール５００ｇで２回、イソプロピルアルコール５００ｇで２回洗浄し、減圧下７０℃で一昼夜乾燥し、成分（ｂ）ポリオキシアルキレン化ヒドロキシエチルセルロース（多糖誘導体）７３．４ｇを得た。多糖誘導体の基（Ａ）の置換度は０．０１０であった。
なお、前記多糖誘導体の基（Ａ）の置換度は、Ｚｅｉｓｅｌ法［Ｄ．Ｇ．Ａｎｄｅｒｓｏｎ，Ａｎａｌ．Ｃｈｅｍ．４３，８９４（１９７１）］により求めた。この置換度は、構成単糖残基当たりの置換基の平均数を示す。
【００４６】
実施例１及び２
特殊機化工業株式会社製アジホモミキサー「ＭＯＤＥＬ  Ｆ．２／５」を用い、表１に示す割合で、疎水性化合物（ａ）及び高分子化合物（ｂ）を温度４０℃、回転速度１００ｒｐｍの条件で３０分間攪拌混合した。次に、同速度で攪拌を継続しながら、イオン交換水を１０ｇ／分の条件で滴下投入し、投入終了後３０分以上攪拌し、水中油型乳化物を得た（総重量３０００ｇ）。この水中油型乳化物に、賦形剤（ｃ）を加え、更に３０分以上同速度で攪拌し、乾燥に供する水中油型乳化物を得た。この水中油型乳化物について、諸特性を評価した。結果を表１に示す。
次に、噴霧乾燥装置（坂本技研株式会社、ＳＰＲＡＹ  ＤＲＹＥＲ、ＭＯＤＥＬ  ＴＲＳ−５Ｗ２Ｎ）を用い、２流体ノズルを使用したエアー噴霧圧０．５ＭＰａ、送風量９ｋｇ／ｍｉｎ、送風温度１４０℃、送液速度７ｋｇ／ｈｒの条件で、この水中油型乳化物を噴霧乾燥し粉末（粒状組成物）を得た。この得られた粉末について、諸特性を評価した。結果を表１に示す。
比較例１
実施例１において、高分子化合物（ｂ）を使用しなかった以外は、実施例１と同様な操作を行った。その結果を表１に示す。
比較例２
実施例１において、賦形剤（ｃ）を使用しなかった以外は、実施例１と同様な操作を行った。その結果を表１に示す。
【００４７】
【表１】
2008163133.tif 000008
【００４８】
実施例１及び２は、水中油型乳化物を容易に粉末化することができ、この粉末は保存安定性も良好であった。これに対し、比較例１は、高分子化合物（ｂ）を配合しないもので、当然乳化できず、そのため噴霧乾燥してもシリコーンが賦形剤表面に染み出し、噴霧乾燥装置内部や配管にほぼ全量が付着してしまい、粉末として回収できなかった。比較例２は、賦形剤（ｃ）を配合しないもので、乳化は可能だが、噴霧乾燥してもやはり噴霧乾燥装置や配管にほぼ全量が付着し粉末化ができなかった。
【産業上の利用可能性】
【００４９】
本発明の粒状組成物は、疎水性化合物を粉末化したものであって、例えば洗浄剤分野、化粧料分野、スキンケア剤分野、衣料処理剤分野、香料分野等に好適に用いられる。